(57)【特許請求の範囲】
【請求項１】
以下のパラメータを満たすように複数のディンプルをゴルフボールの表面に設計するステップを含むゴルフボールの製造方法であって、
前記ディンプルの総数Ｎが４００個以下であり、
前記ゴルフボールの面粗度Ｒｄａが０．０８５ｍｍ以下であり、ここで、前記ゴルフボールの面粗度Ｒｄａは、ゴルフボールの第１の断面の面粗度Ｒｐと、ゴルフボールの第２の断面の面粗度Ｒｍと、ゴルフボールの第３の断面の面粗度Ｒｓとの平均値であり、前記第１の断面は、ゴルフボールの北極点と南極点とを通り、且つ前記北極点または前記南極点に近接する第１のディンプルの中心を通る断面であり、前記第２の断面は、ゴルフボールの中心を通り、前記第１の断面に垂直に交差し、且つゴルフボールの赤道に沿った断面に対して、前記北極点または南極点に近接する第１のディンプルの中心方向側で、４５度の角度で交差する断面であり、前記第３の断面は、ゴルフボールの赤道に沿った断面であり、前記面粗度Ｒｐは、前記第１の断面に沿ったゴルフボールの断面において、基準球面よりも高さが高いゴルフボール表面とこの基準球面とに囲まれた部分の断面積である第１の凸部面積Ａｒｔと、前記基準球面よりも高さが低いゴルフボール表面とこの基準球面とに囲まれた部分の断面積である第１の凹部面積Ａｒｕとの和を、前記基準球面の第１の断面における外周長さで除した値であり、前記面粗度Ｒｍは、前記第２の断面に沿ったゴルフボールの断面において、基準球面よりも高さが高いゴルフボール表面とこの基準球面とに囲まれた部分の断面積である第２の凸部面積Ａｒｔと、前記基準球面よりも高さが低いゴルフボール表面とこの基準球面とに囲まれた部分の断面積である第２の凹部面積Ａｒｕとの和を、前記基準球面の第２の断面における外周長さで除した値であり、前記面粗度Ｒｓは、前記第３の断面に沿ったゴルフボールの断面において、基準球面よりも高さが高いゴルフボール表面とこの基準球面とに囲まれた部分の断面積である第３の凸部面積Ａｒｔと、前記基準球面よりも高さが低いゴルフボール表面とこの基準球面とに囲まれた部分の断面積である第３の凹部面積Ａｒｕとの和を、前記基準球面の第３の断面における外周長さで除した値であり、前記面粗度Ｒｐ、Ｒｍ及びＲｓの各算出方法における前記基準球面は、前記ゴルフボールの最外半径を有する仮想球面よりも０．１ｍｍ短い半径を有し、前記仮想球面と中心を共有する球面であり、
前記第１の断面および前記第２の断面における平均凸部面積Ｓｒｔを、前記第１の断面および前記第２の断面における平均凹部面積Ｓｒｕを除した値が、０．９以下であり、ここで、前記平均凸部面積Ｓｒｔは、前記第１の凸部面積Ａｒｔと前記第２の凸部面積Ａｒｔとの平均値であり、前記平均凹部面積Ｓｒｕは、前記第１の凹部面積Ａｒｕと前記第２の凹部面積Ａｒｕとの平均値である、ゴルフボールの製造方法。
【請求項２】
前記ゴルフボールの面粗度Ｒｄａに前記ディンプルの総数Ｎを乗じた値が２６．０ｍｍ・個以下となることを更に満たす請求項１に記載のゴルフボールの製造方法。
【請求項３】
Ｒｅ７００００／２０００ｒｐｍでの揚力係数ＣＬが、Ｒｅ８００００／２０００ｒｐｍでの揚力係数ＣＬの７０％以上となることを更に満たす請求項１又は２に記載のゴルフボールの製造方法。
【請求項４】
請求項１〜３のいずれか一項に記載の方法により製造されるゴルフボール。
【発明の詳細な説明】
【技術分野】
【０００１】
本発明は、ゴルフボールを設計する方法およびこの方法により製造されたゴルフボールに関する。
【背景技術】
【０００２】
ゴルフボールの設計において、ゴルフボールを打った際に大きな飛距離を得るためには、ゴルフボール自体に備わる高反発性と、ゴルフボール表面に配置されたディンプルによる飛行時の空気抵抗の低減が重要であることがよく知られている。通常、ゴルフボールの表面には多数のディンプルが配置されているが、空気抵抗を低減することを目的として、ディンプルを高密度に且つ均等にボール表面に配列する方法が種々提案されている。
【０００３】
例えば、特開２０００−７０４１３号公報には、ゴルフボール表面を球面２０面体と擬し、この球面２０面体を構成する各球面三角形ユニットが実質的に同一のディンプル配置を有するゴルフボールの設計方法において、隣接する球面三角形ユニットにまたがるディンプルが所定の割合で存在するようにディンプルを配置する方法が記載されている。
【０００４】
しかしながら、従来のディンプルの設計および配列方法は、その方法が規定する所定の条件の下ではディンプルが均等に配置され、空気力学的性能の向上が期待できるものの、最終的に得られるゴルフボールの空気力学的性能は、ゴルフボール全体におけるディンプルのバランスによって左右されるため、試行錯誤に依って最適な空気力学的性能となるように調整する必要がある。
【先行技術文献】
【特許文献】
【０００５】
【特許文献１】特開２０００−７０４１３号公報
【発明の概要】
【発明が解決しようとする課題】
【０００６】
そこで本発明は、ゴルフボールの表面上にディンプルを効果的に配置することで、ゴルフボールの空気抵抗を低減し、安定した飛距離を得ることができるゴルフボールの設計方法およびその方法により製造されたゴルフボールを提供することを目的とする。
【０００７】
上記の目的を達成するために、本発明は、以下のパラメータを満たすように複数のディンプルをゴルフボールの表面に設計するステップを含むゴルフボールの製造方法であって、前記ディンプルの総数Ｎが４００個以下であり、前記ゴルフボールの面粗度Ｒｄａが０．０８５ｍｍ以下であり、ここで、前記ゴルフボールの面粗度Ｒｄａは、ゴルフボールの第１の断面の面粗度Ｒｐと、ゴルフボールの第２の断面の面粗度Ｒｍと、ゴルフボールの第３の断面の面粗度Ｒｓとの平均値であり、前記第１の断面は、ゴルフボールの北極点と南極点とを通り、且つ前記北極点または前記南極点に近接する第１のディンプルの中心を通る断面であり、前記第２の断面は、ゴルフボールの中心を通り、前記第１の断面に垂直に交差し、且つゴルフボールの赤道に沿った断面に対して、前記北極点または南極点に近接する第１のディンプルの中心方向側で、４５度の角度で交差する断面であり、前記第３の断面は、ゴルフボールの赤道に沿った断面であり、前記面粗度Ｒｐ、Ｒｍ及びＲｓは、前記ゴルフボールの最外半径を有する仮想球面よりも０．１ｍｍ短い半径を有し、前記仮想球面と中心を共有する球面を基準として計算されるものであり、前記第１の断面および前記第２の断面における平均凸部面積Ｓｒｔを、前記第１の断面および前記第２の断面における平均凹部面積Ｓｒｕを除した値が、０．９以下であり、ここで、前記平均凸部面積Ｓｒｔは、前記第１の断面において、前記基準球面と前記基準球面よりも高さが高いゴルフボール表面とに囲まれた第１の凸部面積Ａｒｔと、前記第２の断面において、前記基準球面と前記基準球面よりも高さが高いゴルフボール表面とに囲まれた第２の凸部面積Ａｒｔとの平均値であり、前記平均凹部面積Ｓｒｕは、前記第１の断面において、前記基準球面と前記基準球面よりも高さが低いゴルフボール表面とに囲まれた第１の凹部面積Ａｒｕと、前記第２の断面において、前記基準球面と前記基準球面よりも高さが低いゴルフボール表面とに囲まれた第２の凹部面積Ａｒｕとの平均値である。
【０００８】
前記ゴルフボールの面粗度Ｒｄａに前記ディンプルの総数Ｎを乗じた値は、２６．０ｍｍ・個以下となることを更に満たすことが好ましい。また、Ｒｅ７００００／２０００ｒｐｍでの揚力係数ＣＬが、Ｒｅ８００００／２０００ｒｐｍでの揚力係数ＣＬの７０％以上となることを更に満たすことが好ましい。
【０００９】
本発明は、別の態様として、上述した方法により製造されるゴルフボールである。
【発明の効果】
【００１０】
このように本発明によれば、ディンプルの総数Ｎを４００個以下、ゴルフボールの面粗度Ｒｄａを０．０８５ｍｍ以下、第１の断面および第２の断面における平均凸部面積Ｓｒｔを、第１の断面および第２の断面における平均凹部面積Ｓｒｕを除した値を、０．９以下となるように、ゴルフボールの表面上にディンプルを配置することで、ゴルフボールの空気抵抗を低減し、安定した飛距離を得ることができるゴルフボールの設計方法およびその方法により製造されたゴルフボールを提供することができる。
【図面の簡単な説明】
【００１１】
【図１】本発明に係るゴルフボールの一実施の形態を示す、北極側から見た平面図である。
【図２】図１に示すゴルフボールの線２１に沿った断面図である。
【図３】図１に示すゴルフボールの線２１に沿った部分的な拡大断面図である。
【図４】実施例２のゴルフボールを示す図である。
【図５】比較例１のゴルフボールを示す図である。
【図６】比較例２のゴルフボールを示す図である。
【図７】比較例３のゴルフボールを示す図である。
【発明を実施するための形態】
【００１２】
以下、添付図面を参照して、本発明に係るゴルフボール及びその製造方法の実施の形態について説明するが、本発明は、これら実施の形態に限定されるものではない。
【００１３】
図１に示すように、本実施の形態のゴルフボール１０の表面には、複数のディンプル１４が形成されている。ゴルフボール１０の表面のうち、ディンプル１４が形成されていない部分を陸部１２と呼ぶ。ゴルフボール１０は、北極点２０ａと、南極点２０ｂと、赤道２３を有する。通常、ゴルフボール１０は、基本的に半球状のキャビティをそれぞれ備えた２つの型からなる金型（図示省略）により成形される。２つのキャビティの頂点の位置に、ゴルフボールの北極点２０ａと南極点２０ｂが形成され、２つの型の接合面の位置に、ゴルフボールの赤道２３が形成される。
【００１４】
本発明は、ゴルフボール１０の表面に配置される複数のディンプル１４の設計にあたり、（１）ディンプル１４の総数Ｎと、（２）ゴルフボール１０の面粗度Ｒｄａと、（３）ゴルフボール１０の第１の断面および第２の断面における平均凸部面積Ｓｒｔを、第１の断面および第２の断面における平均凹部面積Ｓｒｕを除した値Ｓｒｔ／Ｓｒｕとを少なくとも含むパラメータが所定の範囲内になるようにするものである。これらパラメータについて説明する。
【００１５】
第１のパラメータであるディンプルの総数Ｎとは、ゴルフボール１０の表面に配置される全てのディンプル１４の数である。これらディンプル１４の形状や大きさは、同一であっても、異なっていてもよい。好ましくは、形状または大きさが異なる少なくとも３種類のディンプル１４を配置することができる。このように少なくとも３種類以上のディンプル１４を配置することで、隙間なく均一に配置することができるという利点がある。
【００１６】
なお、図のゴルフボールには、円形のディンプル１４のみが形成されているが、ディンプル１４の形状は円形に限定されず、非円形のディンプルを形成してもよい。非円形のディンプルとは、ディンプル１４の輪郭線、すなわち、陸部１２とディンプル１４との境界線が、曲線または直線を含む流線型の形状であるディンプルをいう。
【００１７】
ディンプルの総数Ｎは、４００個以下とし、例えば、３９２個とすることもできる。一般にディンプルの総数Ｎが多い程、ゴルフボールの表面全体にディンプルを均等に配置することができるが、本発明によれば、ディンプルの総数Ｎを少なくしても、特に３５０個以下にしても、ゴルフボールの表面全体にディンプルを均等に配置することができる。ディンプルの総数Ｎは、３４０個以下がより好ましく、３３０個以下さらに好ましい。また、ディンプルの総数Ｎは、少なくとも２００個とすることが好ましく、少なくとも２１０個とすることがより好ましい。
【００１８】
第２のパラメータであるゴルフボールの面粗度Ｒｄａとは、ゴルフボール１０の第１の断面の面粗度Ｒｐと、ゴルフボール１０の第２の断面の面粗度Ｒｍと、ゴルフボール１０の第３の断面の面粗度Ｒｓとの平均値である。
【００１９】
第１の断面とは、図１に示すように、第１の断面の基準線２１に沿ったゴルフボール１０の断面である。この第１の断面の基準線２１とは、ゴルフボールの北極点２０ａと南極点２０ｂとを通り、且つ北極点２０ａ（又は南極点２０ｂでもよい）に近接する第１のディンプル１４ａの中心１５ａを通る線である。ここで、北極点または南極点に近接するディンプルとは、北極点または南極点の近くにディンプルの輪郭線が位置することをいう。
【００２０】
なお、図１では、北極点２０ａ（又は南極点２０ｂでもよい）を陸部１２に配置したが、本発明はこのような配置に限定されず、北極点や南極点をディンプル１４内に配置してもよい。この場合、第１のディンプルは、北極点や南極点が存在するディンプルを除いた北極点や南極点に近接するディンプルが該当する。
【００２１】
第２の断面とは、図１及び図２に示すように、第２の断面の基準線２２に沿ったゴルフボール１０の断面である。なお、図２は、図１の基準線２１に沿ったゴルボールの断面であり、第１の断面２５を表している。図２では、ゴルフボールの断面の縁部に形成されるディンプル１４の凹凸は、省略している。この第２の断面は、ゴルフボールの中心２４を通り、第１の断面２５に対して垂直に交差する。さらに、第２の断面は、赤道２３の断面に対して４５度の角度αで交差する。なお、この角度αは、北極点２０ａ（又は南極点２０ｂでもよい）を基準にして第１のディンプル１４ａの中心１５ａ方向側での角度である。
【００２２】
第３の断面とは、赤道２３に沿ったゴルフボール１０の断面である。図１では、赤道２３、すなわち金型のパーティングラインにディンプル１４を形成しているが、本発明はこれに限定されず、赤道２３にディンプル１４を形成しない場合にも本発明の設計方法を適用することができる。
【００２３】
第１の断面、第２の断面および第３の断面の面粗度Ｒｐ、Ｒｍ、Ｒｓは、いずれも基準球面を基準に計算される。基準球面とは、図２の部分拡大断面図である図３に示すように、ゴルフボール１０の最外半径を有する仮想球面１１よりも０．１ｍｍ短い半径を有し、且つ仮想球面１１と中心を共有する球面３０である。
【００２４】
第１の断面の面粗度Ｒｐの計算について説明する。図３に示すように、第１の断面の基準線２１に沿った第１の断面において、基準球面３０よりも高さが高いゴルフボール表面、すなわち陸部１２表面およびディンプル１４底面の一部と、基準球面３０とに囲まれた部分３２の断面積を、第１の凸部面積Ａｒｔとする。また、基準球面３０よりも高さが低いゴルフボール表面、すなわちディンプル１４底面と、基準球面３０とに囲まれた部分３４の断面積を、第１の凹部面積Ａｒｕとする。この第１の凸部面積Ａｒｔと第１の凹部面積Ａｒｕとの和を、基準球面３０の第１の断面における外周長さで除すことで、第１の断面の面粗度Ｒｐを求めることができる。なお、基準球面の外周長さは、ゴルフボールのサイズによって決まるため、例えば、１３２〜１３４ｍｍであろう。
【００２５】
第２の断面の面粗度Ｒｍも、上記と同様にして求めることができる。第２の断面の面粗度Ｒｍは、第２の断面の基準線２２に沿った第２の断面において、基準球面よりも高さが高いゴルフボール表面と、基準球面とに囲まれた第２の凸部面積Ａｒｔと、基準球面よりも高さが低いゴルフボール表面と、基準球面とに囲まれた第２の凹部面積Ａｒｕとの和を、基準球面の第２の断面における外周長さで除すことで、求めることができる。
【００２６】
第３の断面の面粗度Ｒｓも、上記と同様にして求めることができる。第３の断面の面粗度Ｒｓは、赤道２３に沿った断面において、基準球面よりも高さが高いゴルフボール表面と、基準球面とに囲まれた赤道の凸部面積Ａｒｔと、基準球面よりも高さが低いゴルフボール表面と、基準球面とに囲まれた赤道の凹部面積Ａｒｕとの和を、基準球面の赤道断面における外周長さで除すことで、求めることができる。なお、赤道２３にディンプル１４を形成しない場合、赤道の凹部面積Ａｒｕは０となる。本発明では、赤道の凹部面積Ａｒｕが０でない方が好ましい。
【００２７】
このようにして求めた第１の断面、第２の断面および第３の断面の面粗度Ｒｐ、Ｒｍ、Ｒｓの平均値であるゴルフボールの面粗度Ｒｄａは、０．０８５ｍｍ以下とする。このようにゴルフボールの面粗度Ｒｄａを低くすることで、ゴルフボールの飛行時の空気抵抗を下げることができる。ゴルフボールの面粗度Ｒｄａは、０．０８３ｍｍ以下が好ましく、０．０８２ｍｍ以下がより好ましい。また、ゴルフボールの面粗度Ｒｄａは、少なくとも０．０１５ｍｍにすることが好ましく、少なくとも０．０１２ｍｍにすることがより好ましい。
【００２８】
このゴルフボールの面粗度Ｒｄａは、ディンプルの総数Ｎと関連して設計することが好ましく、ゴルフボールの面粗度Ｒｄａをディンプルの総数Ｎで乗じた値Ｒｄａ＊Ｎを、２６．０ｍｍ・個以下にすることが好ましい。Ｒｄａ＊Ｎをこのような範囲内にすることで、空気抵抗を低減することができる。Ｒｄａ＊Ｎは２５．８ｍｍ・個以下にすることがより好ましい。一方、Ｒｄａ＊Ｎは少なくとも１５．０ｍｍ・個にすることが好ましく、少なくとも１５．２ｍｍ・個にすることがより好ましい。
【００２９】
第３のパラメータであるＳｒｔ／Ｓｒｕとは、ゴルフボール１０の第１の断面および第２の断面における平均凸部面積Ｓｒｔを、第１の断面および第２の断面における平均凹部面積Ｓｒｕを除した値である。平均凸部面積Ｓｒｔとは、上述した第１の凸部面積Ａｒｔと第２の凸部面積Ａｒｔの平均値である。また、平均凹部面積Ｓｒｕとは、上述した第１の凹部面積Ａｒｕと第２の凹部面積Ａｒｕの平均値である。
【００３０】
Ｓｒｔ／Ｓｒｕは、ゴルフボール１０の空気力学的性能の等方性を高め、安定した弾道を実現するために、０．９以下とする。Ｓｒｔ／Ｓｒｕは０．８８以下にすることが好ましく、０．８６以下にすることがより好ましい。一方、Ｓｒｔ／Ｓｒｕは、少なくとも０．０５にすることが好ましく、少なくとも０．０７にすることがより好ましい。
【００３１】
上述してきたように、ディンプル１４の総数Ｎを４００個以下、ゴルフボール１０の面粗度Ｒｄａを０．０８５ｍｍ以下、およびゴルフボール１０の第１の断面および第２の断面における平均凸部面積Ｓｒｔを平均凹部面積Ｓｒｕを除した値Ｓｒｔ／Ｓｒｕを０．９以下となるようにディンプル１４を設計、配置することで、ゴルフボール１０の空気抵抗を効率的に低減することができるとともに、ゴルフボール１０の空気力学的性能の等方性を高めることができ、よって、飛距離を増大させることができる。
【００３２】
ディンプル１４の深さは、上述した３つのパラメータを満たす範囲内であれば特に限定されないが、例えば、０．０５ｍｍ以上が好ましく、０．０８ｍｍ以上がより好ましい。また、ディンプル１４の深さは、０．５ｍｍ以下が好ましく、０．４５ｍｍ以下がより好ましい。
【００３３】
ディンプル１４の表面占有率（ディンプルがないとしたゴルフボールの仮想球面の全表面積に対してディンプルが占める面積の総和）は、上述した３つのパラメータを満たす範囲内であれば特に限定されないが、例えば、７０％以上が好ましく、７５％以上がより好ましい。一方、ディンプル１４の表面占有率は、１００％以下が好ましい。
【００３４】
ディンプル１４の総容積（ゴルフボールの仮想球面とディンプルの表面とによって囲まれた部分の容積の和）は、上述した３つのパラメータを満たす範囲内であれば特に限定されないが、例えば、３００ｍｍ3以上が好ましく、４００ｍｍ3以上がより好ましい。一方、ディンプル１４の総容積は、９００ｍｍ3以下が好ましく、８００ｍｍ3以下がより好ましい。
【００３５】
ゴルフボール１０の構造は、特に限定されず、ワンピースボールであっても、２ピース以上のマルチピースのゴルフボールであっても良い。ウッドクラブ＃１（ドライバー）などの長飛距離用のゴルフクラブで打球した場合に、飛距離を長くし、風に強くし、ランが長いボールを得るには、打球の揚力と抗力のバランスが適切である。この打球の揚力と抗力のバランスは、ゴルフボールの構造や使用材料と共に、特に、上述した３つのパラメータ、すなわち、ディンプル１４の総数Ｎ、ゴルフボール１０の面粗度Ｒｄａ、および平均凸部面積Ｓｒｔを平均凹部面積Ｓｒｕを除した値Ｓｒｔ／Ｓｒｕに依存する。
【００３６】
ゴルフボールに働く力Ｆは、次の弾道方程式（１）で表される。
Ｆ＝ＦＬ＋ＦＤ＋Ｍｇ  （１）
なお、ＦＬは揚力、ＦＤは抗力、Ｍｇは重力を示す。
【００３７】
また、弾道方程式（１）の揚力ＦＬおよび抗力ＦＤは、それぞれ次の式（２）および式（３）で表される。
ＦＬ＝０．５×ＣＬ×ρ×Ａ×Ｖ2  （２）
ＦＤ＝０．５×ＣＤ×ρ×Ａ×Ｖ2  （３）
なお、ＣＬは揚力係数、ＣＤは抗力係数、ρは空気密度、Ａはゴルフボールの最大断面積、Ｖはゴルフボールの対空気速度を示す。
【００３８】
飛距離を向上するには、高速条件では低い抗力係数ＣＤとし、低速条件では高い揚力係数ＣＬとすることが良い。より詳細には、本発明の非円形ディンプルを配置することによって、Ｒｅ７００００／２０００ｒｐｍでの揚力係数ＣＬが、Ｒｅ８００００／２０００ｒｐｍでの揚力係数ＣＬの７０％以上となることが好ましく、７５％以上となることがより好ましい。このＣＬの割合が７０％を下回る場合、低速域における揚力ＦＬを適切に得ることができず、打球の飛距離を十分に得ることができないことがある。
【００３９】
本発明に係るゴルフボールは金型により製造することができる。このような金型の作成には、３ＤＣＡＤ又はＣＡＭを使用し、反転用マスター型に、全表面形状を直接的に３次元で削りだす手法や、又は成型用金型のキャビティ部を直接３次元で削りだす手法を用いることができる。金型のパーティングラインがゴルフボール表面の陸部を通るように金型を設計することによって、仕上げ加工（トリミング）を容易にすることができる。また、ゴルフボールの球面に陸部を偏りなく展開するには、２０面体、１２面体、８面体などの多面体、３回対称、５回対称などの配置手法を利用することが好ましい。
【実施例】
【００４０】
実施例１として図４に示すゴルフボール１０ｂを作製した。このゴルフボールは、直径の異なる６種類の円形ディンプルが配置されており、ゴルフボールの最外径を４２．７ｍｍ、基準球面の直径を４２．５ｍｍ、基準球面の各断面の外周長さを１３３．５２ｍｍとし、ディンプルの総数Ｎを３３８個、第１の凸部面積Ａｒｔを３．００ｍｍ2、第１の凹部面積Ａｒｕを６．７８ｍｍ2、第２の凸部面積Ａｒｔを５．５９ｍｍ2、第２の凹部面積Ａｒｕを４．３０ｍｍ2、赤道の凸部面積Ａｒｔを６．２７ｍｍ2、赤道の凹部面積Ａｒｕを３．８７ｍｍ2とした。よって、第１の断面の面粗度Ｒｐは０．０７ｍｍ、第２の断面の面粗度Ｒｍは０．０７ｍｍ、赤道断面の面粗度Ｒｓは０．０８となり、これらの平均である面粗度Ｒｄａは０．０７４となった。平均凸部面積Ｓｒｔを平均凹部面積Ｓｒｕで除した値Ｓｒｔ／Ｓｒｕは０．７８となった。Ｒｄａ＊Ｎは２５．１５となった。また、Ｒｅ８００００／２０００ｒｐｍでの揚力係数ＣＬに対するＲｅ７００００／２０００ｒｐｍでの揚力係数ＣＬの比を８５％とした。
【００４１】
この実施例１のゴルフボールを、ヘッドスピードが４５ｍ／ｓ、打出し角が１０°、スピンが２８００ｒｐｍの条件で、ドライバーで打った際の飛距離を測定した。その結果を、各パラメータと併せて、表１に示す。
【００４２】
また、実施例２として図１に示すゴルフボール１０を、表１に記載したパラメータを変更したことを除き、実施例１と同様の設計で作製した。さらに、比較例１〜３として、図５〜図７に示すゴルフボール４０ａ〜４０ｃを、表１に記載したパラメータを変更したことを除き、実施例１と同様の設計で作製した。これらの結果も表１に示す。
【００４３】
【表１】
0005543316.tif 000002
【００４４】
表１に示すように、面粗度Ｒｄａが０．０８５ｍｍよりも高かった比較例１及び比較例３のゴルフボールや、面粗度Ｒｄａが０．０８５ｍｍ以下であったがＳｒｔ／Ｓｒｕが０．９よりも高かった比較例２のゴルフボールに比べて、面粗度Ｒｄａが０．０８５ｍｍ以下でＳｒｔ／Ｓｒｕが０．９以下とした実施例１及び実施例２のゴルフボールは、キャリーおよびトータルともに飛距離が数ｍ延びた。
【符号の説明】
【００４５】
１０  ゴルフボール
１１  仮想球面
１２  陸部
１４  ディンプル
１４ａ  第１のディンプル
１５ａ  第１のディンプルの中心
２０ａ  北極点
２０ｂ  南極点
２１  第１の断面の基準線
２２  第２の断面の基準線
２３  赤道
２４  ゴルフボール中心
２５  第１の断面
３０  基準球面
３２  上の面積
３４  下の面積
４０  ゴルフボール
【図１】
0005543316.tif 000003
【図２】
0005543316.tif 000004
【図３】
0005543316.tif 000005
【図４】
0005543316.tif 000006
【図５】
0005543316.tif 000007
【図６】
0005543316.tif 000008
【図７】
0005543316.tif 000009